(57)【要約】【課題】本考案は、縦張り外壁板の側端部近傍および長尺出隅材の側端部近傍に釘打ちせずに納めて、外観意匠性の優れた外壁の出隅構造を提供せんとするものである。【解決手段】下地と、縦胴縁と、該縦胴縁の前面に配設され縦胴縁に長尺出隅材を固定するための取り付け金具と、前記縦胴縁の前面に配設され縦張り外壁板を固定するための取り付け金具と、前記下地の出隅部を挟んで前記左右両側の縦胴縁の前面に配設された前記長尺出隅材と、前記左右両側の縦胴縁の前面に配設された左右両側の前記縦張り外壁板と、前記長尺出隅材と前記縦張り外壁板との間に配設されたバックアップ材と、前記長尺出隅材と前記縦張り外壁板との間で該バックアップ材の前面に打設されたシーリング材とからなり、前記長尺出隅材と前記縦張り外壁板とを前記縦胴縁に固定する前記取り付け金具は、互いに上下方向で重ならない位置に配設されていることを特徴とする外壁の出隅構造。【選択図】図１
0003118929.tif 000002
【実用新案登録請求の範囲】
【請求項１】
下地と、該下地の出隅部を挟んで左右両側の前面にそれぞれ配設された縦胴縁と、該縦胴縁の前面に配設され縦胴縁に長尺出隅材を固定するための取り付け金具と、前記縦胴縁の前面に配設され縦張り外壁板を固定するための取り付け金具と、前記下地の出隅部を挟んで前記左右両側の縦胴縁の前面に配設された前記長尺出隅材と、前記左右両側の縦胴縁の前面に配設された左右両側の前記縦張り外壁板と、前記長尺出隅材と前記縦張り外壁板との間に配設されたバックアップ材と、前記長尺出隅材と前記縦張り外壁板との間で該バックアップ材の前面に打設されたシーリング材とからなり、前記長尺出隅材と前記縦張り外壁板とを前記縦胴縁に固定する前記取り付け金具は、互いに上下方向で重ならない位置に配設されていることを特徴とする外壁の出隅構造。
【請求項２】
前記長尺出隅材の裏面には接着材層が形成されていることを特徴とする請求項１に記載の外壁の出隅構造。
【考案の詳細な説明】
【技術分野】
【０００１】
本考案は、縦張り外壁板によって構築される建物外壁の出隅構造に関するものである。
【背景技術】
【０００２】
従来から、建物外壁部を縦張用外壁板を使用して構築する縦張り施工が行われている。
この際、出隅部の納めには、縦方向（上下方向）に長尺の出隅材が用いられることが多い。
例えば、縦張り外壁板の縦方向（例えば長さは約３ｍ）の側端面に実部を形成し、さらに、長尺出隅材についてもその縦方向（例えば長さは約３ｍ）の側端面に実部を形成して、互いの実部を嵌合させる納め方法をとった場合は、接合部にシーリング材を打設する場合に比べて外観意匠性が大きく向上できる。
ところが、互いの実部は共に長尺形成されており、その寸法精度のばらつきから良好な嵌合状態が得られない場合が多々ある。
そのため、縦張り外壁板の側端面近傍および長尺出隅材の側端面近傍に表面側から釘打ちして留め付けて納めることが多い。
この場合、釘頭が目立ってしまい、外観意匠性を損なう不具合は避けられない。
一方、特許文献１に開示されているように、その両側端部に横張りの外壁板を上下方向に取り付けていき、長尺出隅材と横張り外壁板の接合部はシーリング納めとする横張り施工も行われる。
しかしながら、長尺出隅材と縦張り外壁板の接合を留付金具によって行う金具施工は未だ確立されていないのが現状である。
【特許文献１】特許第３１２６１１６号
【考案の開示】
【考案が解決しようとする課題】
【０００３】
本考案は、上記現状に鑑みてなされたものであり、縦張り外壁板の側端部近傍および長尺出隅材の側端部近傍に釘打ちせずに納めることにより、外観意匠性の優れた外壁の出隅構造を提供せんとするものである。
【課題を解決するための手段】
【０００４】
本請求項１に係る外壁の出隅構造は、下地と、該下地の出隅部を挟んで左右両側の前面にそれぞれ配設された縦胴縁と、該縦胴縁の前面に配設され縦胴縁に長尺出隅材を固定するための取り付け金具と、前記縦胴縁の前面に配設され縦張り外壁板を固定するための取り付け金具と、前記下地の出隅部を挟んで前記左右両側の縦胴縁の前面に配設された前記長尺出隅材と、前記左右両側の縦胴縁の前面に配設された左右両側の前記縦張り外壁板と、前記長尺出隅材と前記縦張り外壁板との間に配設されたバックアップ材と、前記長尺出隅材と前記縦張り外壁板との間で該バックアップ材の前面に打設されたシーリング材とからなり、前記長尺出隅材と前記縦張り外壁板とを前記縦胴縁に固定する前記取り付け金具は、互いに上下方向で重ならない位置に配設されていることを特徴としている。
上記構成によれば、縦張り外壁板の側端部近傍および長尺出隅材の側端部近傍に釘打ちせずに納めることができるので、外観意匠性の優れた外壁の出隅構造が得られる。
【０００５】
また、請求項２に係る外壁の出隅構造は、長尺出隅材の裏面には接着材層が形成されているので、長尺出隅材はしっかりと外壁の出隅部に固着される。              
【考案の効果】
【０００６】
本考案によれば、長尺出隅材と縦張り外壁板とを釘打ちせずに納めることができ、外観意匠性に優れた外壁の出隅構造が得られる。
【考案を実施するための最良の形態】
【０００７】
以下図面を用いて、本考案を実施するための最良の形態を説明する。
【実施例１】
【０００８】
図１は、本考案に係る外壁の出隅構造１を示す斜視図、図２は本考案に係る外壁の出隅構造の断面説明図であって、下地１０の前面に下地１０の出隅部を挟んで左右両側にそれぞれ配設した縦胴縁２０、２０と、縦胴縁２０、２０の前面に配設され縦胴縁２０、２０に長尺出隅材５０を固定するための取り付け金具３０、３０と、縦胴縁２０、２０の前面に配設され縦張り外壁板６０、６０を固定するための取り付け金具４０、４０と、下地１０の出隅部を挟んで左右両側の縦胴縁２０、２０の前面に配設された長尺出隅材５０と、左右両側の縦胴縁２０、２０の前面に配設された左右両側の縦張り外壁板６０、６０と、長尺出隅材５０と縦張り外壁板６０、６０との間に配設されるバックアップ材７０、７０と、長尺出隅材５０と縦張り外壁板６０、６０との間でバックアップ材７０、７０の前面に打設されたシーリング材８０、８０とからなり、長尺出隅材５０と縦張り外壁板６０、６０とを縦胴縁２０、２０に固定する取り付け金具３０、取り付け金具４０は、互いに上下方向で重ならない位置に固定されている。（図３参照）
更に、長尺出隅材５０の裏面であって縦胴縁当接部には接着材層９０が形成されている。
上記出隅構造１によれば、縦張り外壁板の側端部近傍および長尺出隅材の側端部近傍を釘打ちせずに長尺出隅材５０を納めて、外観意匠性に優れた外壁の出隅構造が得られると共に、外壁の出隅部にしっかりと固着される。
【０００９】
なお、本考案において、前面とは、建物の外装、外側、室外側のことをいい、後面とは建物の内装、内側、室内側のこといい、また、上下方向の上方は天側、下方は地側のことをいう。
【００１０】
次に、本考案に係る外壁の出隅構造の施工方法について説明する。
まず、下地１０の前面に下地１０の出隅部を挟んで左右両側にそれぞれ縦胴縁２０、２０を釘等で固定し、縦胴縁２０、２０に長尺出隅材５０を取り付け金具３０を用いて固定する。
このとき、取り付け金具３０は予め長尺出隅材５０の左右の裏面端部に上下方向約４５５ｍｍピッチ（縦張り外壁板納めに用いる下地の横胴縁ピッチ同等）で取り付けられていることが好ましい。
取り付け金具３０は図４に示すように、基板部３０ａと、基板部３０ａの中間から切り欠き起こされた立ち上がり部３０ｂと、長尺出隅材５０に固定するための留め付け孔３０ｃと、長尺出隅材５０を縦胴縁２０に取り付けるための取り付け孔３０ｄとから構成されており、基板部３０ａは立ち上がり部３０ｂを挟んで、長尺出隅材５０に固定される第１基板部３０ａアと縦胴縁２０に固定される第２基板部３０ａイとからなり、留め付け孔３０ｃや取り付け孔３０ｄは複数設けられていてもよい。
また、立ち上がり部３０ｂは、シーリング材８０の打設を考えて長尺出隅材５０や縦張り外壁板６０の厚みの半分以下の立ち上がり寸法が好ましく、取り付け孔３０ｄが形成されている第２基板部３０ａイの幅は、施工時に縦張り外壁板側端面に当接させるだけで位置が決めることができるので、長尺出隅材５０と縦張り外壁板６０との間の縦目地接合部の幅と一致していることが好ましい。
また、立ち上がり部３０ｂは１つでも複数設けてもよい。
長尺出隅材５０の側端部に取り付け金具の立ち上がり部３０ｂを当接するように配置して、長尺出隅材５０の裏面側から留め付け孔３０ｃを通してビスで取り付け金具３０を長尺出隅材５０に留め付ける。
このとき２箇所の留め付け孔３０ｃ、３０ｃを使って留め付けると安定して取り付け金具３０を長尺出隅材５０に留め付けられる。
その後、取り付け金具３０の取り付け孔３０ｄを通して長尺出隅材５０を縦胴縁２０、２０に取り付ける。
このとき、長尺出隅材５０の裏面の左右端部付近には予め接着材を打設して接着材層９０が形成されており、より強固に長尺出隅材５０を縦胴縁２０、２０に取り付けることができる。
次に、縦張り外壁板６０の側端部に取り付け金具４０を長尺出隅材５０と同様にして取り付ける。
取り付け金具４０は基本的に取り付け金具３０と同じ形状である。
このとき、取り付け金具４０は縦張り外壁板６０の端部に上下方向に約４５５ｍｍのピッチで取り付けられるが、縦張り外壁板６０を縦胴縁２０に取り付けたときに、長尺出隅材５０の取り付け金具３０と上下方向に重ならない位置に取り付ける。
そして、取り付け金具４０の第２基板部４０ａイを軽く長尺出隅材５０の端部に当接するようにして位置を決め、取り付け孔４０ｄを通してビスにて縦胴縁２０に縦張り外壁板６０を取り付ける。
さらに、左右逆の方向の縦張り外壁板６０も同様に取り付ける。
ここでそれぞれの取り付け金具３０、４０は上下方向で重ならない位置に留め付けてある。
もし、同じ位置に取り付け金具３０、４０が留め付けると、取り付け金具の第２基板部３０ａイ、４０ａイが重なってしまって、長尺出隅材５０や縦張り外壁板６０が縦胴縁２０から浮いてしまったり、第２基板部３０ａイ、４０ａイを突き付けると、目地が大きくなってしまう。
ここでは上下方向で重ならない位置に留め付けてあるので、そのような問題がなく、さらに、第２基板部３０ａイ、４０ａイをそれぞれ縦張り外壁板６０、長尺出隅材５０に突き付けるだけで、必要な目地寸法や目地位置を得ることができ、位置合わせも非常に簡単に行うことができる。
さらに、長尺出隅材５０と縦張り外壁板６０との間に、バックアップ材７０を施工し、さらにその前面にシーリング材８０を打設することで、外壁の出隅構造１とする。
【図面の簡単な説明】
【００１１】
【図１】本考案に係る外壁の出隅構造を示す斜視図
【図２】本考案に係る外壁の出隅構造の断面説明図
【図３】長尺出隅材を取り付ける取り付け金具と縦張り外壁板を取り付ける取り付け金具との位置関係を示す説明図
【図４】本考案に係る外壁の出隅構造に使用する取り付け金具の一例を示す斜視図
【符号の説明】
【００１２】
１        外壁の出隅構造
１０      下地
２０      縦胴縁
３０      長尺出隅材を取り付ける取り付け金具
３０ａ    基板部
３０ａア  第１基板部
３０ａイ  第２基板部
３０ｂ    立ち上がり部
３０ｃ    留め付け孔
３０ｄ    取り付け孔
４０      縦張り外壁板を取り付ける取り付け金具
４０ａ    基板部
４０ａア  第１基板部
４０ａイ  第２基板部
４０ｂ    立ち上がり部
４０ｃ    留め付け孔
４０ｄ    取り付け孔
５０      長尺出隅材
６０      縦張り外壁板
７０      バックアップ材
８０      シーリング材
９０      接着材層
【図１】
0003118929.tif 000003
【図２】
0003118929.tif 000004
【図３】
0003118929.tif 000005
【図４】
0003118929.tif 000006